(57)【要約】【課題】  連続しない壁部を相互に簡単にかつ確実に固定することができ、形成される角部の強度を向上させることもできる角部材およびかかる角部材を使用したパレットを提供する。【解決手段】  パレット等が備えている連続しない第１の壁部５２と第２の壁部５２とがなす角部に取り付けられる角部材１であって、角部の鈍角側に位置する外板部２１および角部の鋭角側に位置する内板部２２を有し、外板部２１および内板部２２によって第１の壁部５２を挟持し得る断面略コの字状の第１の挟持部２と、角部の鈍角側に位置する外板部３１および角部の鋭角側に位置する内板部３２を有し、外板部３１および内板部３２によって第２の壁部５２を挟持し得る断面略コの字状の第２の挟持部３とを備えており、第１の挟持部２と、第２の挟持部３とが、第１の壁部５２と第２の壁部５２とがなす角度と実質的に同じ角度で連続している角部材１。【選択図】  図１
2005187051.tif 000002
【特許請求の範囲】
【請求項１】
ある対象物が備えている連続しない第１の壁部と第２の壁部とがなす角部に取り付けられる角部材であって、
前記角部の鈍角側に位置する外板部および前記角部の鋭角側に位置する内板部を有し、前記外板部および前記内板部によって前記第１の壁部を挟持し得る、断面略コの字状の第１の挟持部と、
前記角部の鈍角側に位置する外板部および前記角部の鋭角側に位置する内板部を有し、前記外板部および前記内板部によって前記第２の壁部を挟持し得る、断面略コの字状の第２の挟持部とを備えており、
前記第１の挟持部と、前記第２の挟持部とは、前記第１の壁部と前記第２の壁部とがなす角度と実質的に同じ角度で連続していることを特徴とする角部材。
【請求項２】
前記第１の挟持部の外板部および／または前記第２の挟持部の外板部は、前記第１の挟持部の内板部および／または前記第２の挟持部の内板部よりも、前記角部の稜線方向の長さが長く形成されていることを特徴とする請求項１に記載の角部材。
【請求項３】
前記第１の挟持部の内板部の下端部と前記第２の挟持部の内板部の下端部とを連結し、それら内板部と直角をなすように前記角部の鋭角側に設けられた補強部をさらに備えたことを特徴とする請求項１または２に記載の角部材。
【請求項４】
前記第１の挟持部の外板部および／または前記第２の挟持部の外板部の下端部は、前記角部の鈍角側に曲がっていることを特徴とする請求項１〜３のいずれかに記載の角部材。
【請求項５】
前記対象物がパレットであり、前記第１の壁部および前記第２の壁部が前記パレットの天板部の各辺から立ち上がっている壁部であることを特徴とする請求項１〜４のいずれかに記載の角部材。
【請求項６】
矩形の天板部と、前記天板部の下側に位置する脚部と、所望により前記脚部の下側に位置する底板部とを備え、前記天板部の各辺から壁部が立ち上がっているパレットであって、
前記各壁部が隣接して形成される角部には、
前記角部の外側に位置する外板部および前記角部の内側に位置する内板部を有し、前記外板部および前記内板部によって前記壁部の一を挟持し得る断面略コの字状の第１の挟持部と、前記角部の外側に位置する外板部および前記角部の内側に位置する内板部を有し、前記外板部および前記内板部によって、前記壁部に隣接する壁部を挟持し得る断面略コの字状の第２の挟持部とを備え、前記第１の挟持部と前記第２の挟持部とが、略直角に連続している角部材が取り付けられていることを特徴とするパレット。
【請求項７】
前記角部材の第１の挟持部の外板部および第２の挟持部の外板部の高さは、前記第１の挟持部の内板部および第２の挟持部の内板部の高さよりも高く形成されており、もって前記角部材の第１の挟持部の外板部および第２の挟持部の外板部は、前記パレットの隅に位置する前記脚部の側面をカバーしていることを特徴とする請求項６に記載のパレット。
【請求項８】
前記角部材には、前記第１の挟持部の内板部の下端部と前記第２の挟持部の内板部の下端部とを連結し、それら内板部と直角をなすように前記角部の内側に設けられた補強部をさらに備えており、前記補強部の下面は、前記パレットの天板部の上面に接触していることを特徴とする請求項６または７に記載のパレット。
【発明の詳細な説明】
【技術分野】
【０００１】
本発明は、ある対象物（例えばパレット）が備えている連続しない第１の壁部と第２の壁部とがなす角部（例えばパレット天板部の各辺から立ち上がっているスリーブ保持部の角部）に取り付けられる角部材に関するものである。
【背景技術】
【０００２】
従来より、物品を輸送等するために、パレットにスリーブを取り付け、そのリーブに蓋を被せた梱包体を形成することがある（特許文献１参照）。このような目的で使用されるパレット５として、図２および図３に示されるように、矩形の天板部５１の各辺からスリーブ保持部としての壁部５２が立ち上がっているものが知られている。壁部５２は、それぞれ隣接する壁部５２と相互に固定され、スリーブは、これら壁部５２の内側に嵌合される。
【特許文献１】特開２００２−３７０７４３号公報
【発明の開示】
【発明が解決しようとする課題】
【０００３】
隣接する上記壁部５２を相互に固定するために、従来は、接着テープやステープルが利用されてきたが、それらによる固定作業は煩雑であり、また壁部５２相互の固定強度も、形成される角部の強度も十分ではなかった。
【０００４】
本発明は、このような実状に鑑みてなされたものであり、連続しない壁部を相互に簡単にかつ確実に固定することができ、形成される角部の強度を向上させることもできる角部材およびかかる角部材を使用したパレットを提供することを目的とする。
【課題を解決するための手段】
【０００５】
上記目的を達成するために、第１に本発明は、ある対象物が備えている連続しない第１の壁部と第２の壁部とがなす角部に取り付けられる角部材であって、前記角部の鈍角側に位置する外板部および前記角部の鋭角側に位置する内板部を有し、前記外板部および前記内板部によって前記第１の壁部を挟持し得る、断面略コの字状の第１の挟持部と、前記角部の鈍角側に位置する外板部および前記角部の鋭角側に位置する内板部を有し、前記外板部および前記内板部によって前記第２の壁部を挟持し得る、断面略コの字状の第２の挟持部とを備えており、前記第１の挟持部と、前記第２の挟持部とは、前記第１の壁部と前記第２の壁部とがなす角度と実質的に同じ角度で連続していることを特徴とする角部材を提供する（請求項１）。
【０００６】
上記発明（請求項１）においては、角部材は簡単に壁部の角部に取り付けることができ、また、第１の壁部および第２の壁部は、角部材によって支持されることにより相互に確実に固定され、形成される角部の強度も向上する。さらに、上記角部材は、壁部から容易に取り外すことができるため、リサイクル性にも優れる。
【０００７】
上記発明（請求項１）において、前記第１の挟持部の外板部および／または前記第２の挟持部の外板部は、前記第１の挟持部の内板部および／または前記第２の挟持部の内板部よりも、前記角部の稜線方向の長さが長く形成されていてもよい（請求項２）。
【０００８】
上記発明（請求項２）によれば、壁部の角部の下側に位置する部材が、第１の挟持部の外板部および／または第２の挟持部の外板部によってカバーされることにより、保護され得る。また、壁部を、第１の挟持部の外板部の内側および／または第２の挟持部の外板部の内側に沿わせながら、第１の挟持部の外板部と内板部との間隙および第２の挟持部の外板部と内板部との間隙に挿入することができるため、角部材の角部への取り付けが容易になる。
【０００９】
上記発明（請求項１，２）においては、前記第１の挟持部の内板部の下端部と前記第２の挟持部の内板部の下端部とを連結し、それら内板部と直角をなすように前記角部の鋭角側に設けられた補強部をさらに備えていてもよい（請求項３）。
【００１０】
上記発明（請求項２）によれば、角部材自体の強度が向上するとともに、補強部の下側に位置する部材の強度を向上させることが可能である。
【００１１】
上記発明（請求項１〜３）において、前記第１の挟持部の外板部および／または前記第２の挟持部の外板部の下端部は、前記角部の鈍角側に曲がっていてもよい（請求項４）。
【００１２】
上記発明（請求項４）によれば、第１の挟持部および第２の挟持部の下端部において、第１の挟持部の外板部と内板部との間隙および第２の挟持部の外板部と内板部との間隙が広くなるため、壁部の当該間隙への挿入、すなわち角部材の角部への取り付けが容易になる。
【００１３】
上記発明（請求項１〜４）においては、前記対象物がパレットであり、前記第１の壁部および前記第２の壁部が前記パレットの天板部の各辺から立ち上がっている壁部（スリーブ保持部）であってもよい（請求項５）。上記角部材は、かかる対象物に好適に用いられる。
【００１４】
第２に本発明は、矩形の天板部と、前記天板部の下側に位置する脚部と、所望により前記脚部の下側に位置する底板部とを備え、前記天板部の各辺から壁部（スリーブ保持部）が立ち上がっているパレットであって、前記各壁部が隣接して形成される角部には、前記角部の外側に位置する外板部および前記角部の内側に位置する内板部を有し、前記外板部および前記内板部によって前記壁部の一を挟持し得る断面略コの字状の第１の挟持部と、前記角部の外側に位置する外板部および前記角部の内側に位置する内板部を有し、前記外板部および前記内板部によって、前記壁部に隣接する壁部を挟持し得る断面略コの字状の第２の挟持部とを備え、前記第１の挟持部と前記第２の挟持部とが、略直角に連続している角部材が取り付けられていることを特徴とするパレットを提供する（請求項６）。
【００１５】
上記発明（請求項６）においては、角部材は簡単にパレットの壁部の角部に取り付けることができ、また、隣接する壁部は、角部材によって支持されることにより相互に確実に固定され、形成される角部の強度も向上する。さらに、上記角部材は、パレットから容易に取り外すことができるためリサイクル性にも優れ、一方、使用済のパレットは廃棄前の分別を容易に行うことができる。
【００１６】
上記発明（請求項６）において、前記角部材の第１の挟持部の外板部および第２の挟持部の外板部の高さは、前記第１の挟持部の内板部および第２の挟持部の内板部の高さよりも高く形成されており、もって前記角部材の第１の挟持部の外板部および第２の挟持部の外板部は、前記パレットの隅に位置する前記脚部の側面をカバーしていてもよい（請求項７）。
【００１７】
上記発明（請求項７）によれば、パレットの四隅に位置している脚部の外側側面は角部材によって保護されるため、脚部が衝突等によって破損することが防止される。また、壁部を、第１の挟持部の外板部の内側および／または第２の挟持部の外板部の内側に沿わせながら、第１の挟持部の外板部と内板部との間隙および第２の挟持部の外板部と内板部との間隙に挿入することができるため、角部材の角部への取り付けが容易になる。
【００１８】
上記発明（請求項６，７）において、前記角部材には、前記第１の挟持部の内板部の下端部と前記第２の挟持部の内板部の下端部とを連結し、それら内板部と直角をなすように前記角部の内側に設けられた補強部をさらに備えており、前記補強部の下面は、前記パレットの天板部の上面に接触していてもよい（請求項８）。
【００１９】
上記発明（請求項８）によれば、角部材自体、補強部によって補強される。また、上記パレットにおいては、天板部の隅においてパレットの強度を向上させることができ、例えば、パレットの脚部間にて偏荷重が生じたとしても、角部材の補強部によって積荷を確実に支持することが可能となる。
【発明の効果】
【００２０】
本発明に係る角部材によれば、連続しない壁部を相互に簡単にかつ確実に固定することができ、形成される角部の強度を向上させることもできる。また、本発明に係る角部材は、壁部から容易に取り外すことができるため、リサイクル性にも優れる。
【００２１】
本発明に係るパレットにおいては、角部材を使用することでスリーブ保持部としての壁部を相互に簡単にかつ確実に固定することができ、形成される角部の強度を向上させることもできる。また、使用した角部材は壁部から容易に取り外すことができるためリサイクル性に優れ、一方、使用済のパレットは廃棄前の分別を容易に行うことができる。
【発明を実施するための最良の形態】
【００２２】
以下、本発明の実施形態を図面に基づいて説明する。なお、以下の実施形態では、パレットに使用される角部材を例に挙げて説明するが、本発明の角部材の適用対象はパレットに限定されるものではない。
【００２３】
〔第１の実施形態〕
図１は、本発明の第１の実施形態に係る角部材の斜視図であり、図２は、本発明の第１の実施形態に係るパレットの天板部および壁部の平面図であり、図３は、同実施形態に係るパレット（角部材取付前）の斜視図であり、図４は、同実施形態に係るパレット（角部材取付後）の斜視図である。
【００２４】
本実施形態に係る角部材１は、後述するパレット５の隣接する壁部５２が形成する角部に取り付けられるものであり、直角に連続している第１の挟持部２と第２の挟持部３とを備えている。
【００２５】
第１の挟持部２は、角部の外側に位置する略矩形の外板部２１と、角部の内側に位置し、外板部２１に平行に設けられた略矩形の内板部２２と、外板部２１および内板部２２の上部においてそれらを連結する連結部２３とから構成され、外板部２１と内板部２２とでパレット５の壁部５２を挟持できるように断面略コの字状となっている。
【００２６】
同様に、第２の挟持部３は、角部の外側に位置する略矩形の外板部３１と、角部の内側に位置し、外板部３１に平行に設けられた略矩形の内板部３２と、外板部３１および内板部３２の上部においてそれらを連結する連結部３３とから構成され、外板部３１と内板部３２とでパレット５の壁部５２を挟持できるように断面略コの字状となっている。
【００２７】
第１の挟持部２の外板部２１と第２の挟持部３の外板部３１、第１の挟持部２の内板部２２と第２の挟持部３の内板部３２、第１の挟持部２の連結部２３と第２の挟持部３の連結部３３とは、それぞれ直角に連続している。
【００２８】
角部材１の材料は、所定の剛性および強度をもって所定の形状に形成され得るものであれば特に限定されるものではなく、例えば、金属、プラスチック、紙（例えば段ボール）等を使用することができる。
【００２９】
第１の挟持部２の外板部２１および内板部２２ならびに第２の挟持部３の外板部３１および内板部３２の厚さは、所定の剛性および強度を保持できれば、できるだけ薄いのが好ましい。
【００３０】
第１の挟持部２の外板部２１と内板部２２との間隙および第２の挟持部３の外板部３１と内板部３２との間隙は、パレット５の壁部５２の厚さと同一かそれよりも僅かに小さく設定するのが好ましい。
【００３１】
第１の挟持部２の内板部２２および第２の挟持部３の内板部３２の高さは、パレット５の壁部５２の高さと略同一であるのが好ましい。一方、第１の挟持部２の外板部２１および第２の挟持部３の外板部３１の高さは、パレット５の壁部５２の高さと略同一以上であるのが好ましく、本実施形態では、パレット５の壁部５２の高さと略同一に設定されている。
【００３２】
第１の挟持部２および第２の挟持部３の横方向の長さの下限は、少なくとも角部材１による効果が発揮されれば特に限定されるものではなく、上限は、他の角部材１と接触する位置までの長さとなる。
【００３３】
次に、上記角部材１の取付対象となるパレット５について説明する。図３に示すように、パレット５は、矩形の天板部５１と、同じく矩形の底板部５４と、天板部５１および底板部５４の間に位置する９つの立方体状の脚部５３と、天板部５１の各辺からスリーブ保持部として立ち上がっている４つの壁部５２とを備えている。
【００３４】
天板部５１および４つの壁部５２は、図２に示すように、１枚のシート材（例えば紙製またはプラスチック製の段ボール）から構成され、４つの壁部５２は、天板部５１から直角に折り曲げられることにより形成される。各壁部５２の長さは、天板部５１の各辺の長さと同一であり、各壁部５２の高さは、使用するスリーブ６の高さに応じて適宜設定される。
【００３５】
角部材１は、図４に示すように、上記パレット５の隣接する壁部５２が形成する角部に取り付けられる。すなわち、パレット５の一の壁部５２の端部を、当該壁部５２の上端が第１の挟持部２の連結部２３に当接するまで第１の挟持部２の外板部２１と内板部２２との間隙に挿入するとともに、上記壁部５２に隣接する壁部５２の端部を、当該壁部５２の上端が第２の挟持部３の連結部３３に当接するまで第２の挟持部３の外板部３１と内板部３２との間隙に挿入し、もって第１の挟持部２の外板部２１と内板部２２とでパレット５の一の壁部５２を挟持し、第２の挟持部３の外板部３１と内板部３２とでパレット５の上記壁部５２に隣接する壁部５２を挟持するようにする。かかる角部材１の取付作業は極めて簡単である。このとき、別途接着剤を使用して角部材１を壁部５２に接着してもよい。
【００３６】
上記のようにして、４つの角部材１をパレット５の隣接する壁部５２が形成する４つの角部に取り付けることにより、各壁部５２は相互に確実に固定され、また各角部の強度は、角部材１の剛性に応じて、接着テープやステープル等で留める場合よりも飛躍的に向上する。なお、スリーブ６は、図４に示すように、立ち上がった４つの壁部５２の内側に嵌合され、必要に応じて壁部５２に対して固定される。
【００３７】
また、上記角部材１は、パレット５の壁部５２から容易に取り外すことができるため、リサイクル性に優れ、一方、使用済のパレット５は廃棄前の分別を容易に行うことができる。
【００３８】
〔第２の実施形態〕
図５は、本発明の第２の実施形態に係る角部材の斜視図であり、図６は、同実施形態に係るパレット（角部材取付後）の斜視図である。
【００３９】
本実施形態に係る角部材１Ａは、前述した第１の実施形態に係る角部材１と略同様の構造を有しているが、第１の挟持部２Ａの外板部２１Ａおよび第２の挟持部３Ａの外板部３１Ａの高さが、第１の挟持部２Ａの内板部２２Ａおよび第２の挟持部３Ａの内板部３２Ａの高さよりも高くなっており、本実施形態では、パレット５の壁部５２の高さと脚部５３の高さとを加えた高さと略同一に設定されている。したがって、図６に示されるように、パレット５の四隅に位置している各脚部５３のパレット外側の二側面は、角部材１Ａの第１の挟持部２Ａの外板部２１Ａおよび第２の挟持部３Ａの外板部３１Ａに覆われることになる。
【００４０】
このような角部材１Ａを使用したパレット５においては、四隅に位置している脚部５３は、角部材１Ａによって保護されるため、衝突等によって破損することが防止される。また、パレット５の角部は、角部材１Ａの存在により縦方向の強度が向上する。
【００４１】
さらに、第１の挟持部２Ａの外板部２１Ａおよび第２の挟持部３Ａの外板部３１Ａの高さが、第１の挟持部２Ａの内板部２２Ａおよび第２の挟持部３Ａの内板部３２Ａの高さよりも高くなっていることにより、パレット５の壁部５２を、第１の挟持部２Ａの外板部２１Ａの内側および第２の挟持部３Ａの外板部３１Ａの内側に沿わせながら、第１の挟持部２の外板部２１と内板部２２との間隙および第２の挟持部３の外板部３１と内板部３２との間隙に挿入することができるため、角部材１Ａのパレット５の壁部５２角部への取り付けが容易になる。
【００４２】
〔第３の実施形態〕
図７は、本発明の第３の実施形態に係る角部材の斜視図であり、図８は、同実施形態に係るパレット（角部材取付後）の斜視図である。
【００４３】
本実施形態に係る角部材１Ｂは、前述した第１の実施形態に係る角部材１と略同様の構造を有しているが、第１の挟持部２Ｂの内板部２２Ｂの下端部と第２の挟持部３Ｂの内板部３２Ｂの下端部とを連結し、内板部２２Ｂおよび内板部３２Ｂと直角をなすように角部の内側に設けられた補強部４Ｂをさらに備えている。本実施形態では、この補強部４Ｂの形状は平面視Ｌ字状になっているが、これに限定されるものではない。かかる角部材１Ｂは、角部材１Ｂ自体、補強部４Ｂによって補強されている。
【００４４】
上記角部材１Ｂをパレット５の壁部５２の角部に取り付けた場合、角部材１Ｂの補強部４Ｂの下面は、パレット５の天板部５１の上面に接触する（図８参照）。このような角部材１Ｂを使用したパレット５においては、天板部５１の四隅においてパレット５の強度を向上させることができ、例えば、パレット５の脚部５３間にて偏荷重が生じたとしても、角部材１Ｂの補強部４Ｂによって積荷を確実に支持することが可能となる。
【００４５】
〔第４の実施形態〕
図９は、本発明の第４の実施形態に係る角部材の斜視図である。
本実施形態に係る角部材１Ｃは、前述した第１の実施形態に係る角部材１と略同様の構造を有しているが、第１の挟持部２Ｃの外板部２１Ｃの下端部および第２の挟持部３Ｃの外板部３１Ｃの下端部は、それぞれ角部の外側に若干曲げられて形成されている。
【００４６】
このような角部材１Ｃにおいては、第１の挟持部２Ｃおよび第２の挟持部３Ｃの下端部において、第１の挟持部２の外板部２１と内板部２２との間隙および第２の挟持部３の外板部３１と内板部３２との間隙が若干広くなるため、パレット５の壁部５２の当該間隙への挿入、すなわち角部材１Ｃのパレット５の壁部５２角部への取り付けが容易になる。
【００４７】
以上説明した実施の形態は、本発明の理解を容易にするために記載されたものであって、本発明を限定するために記載されたものではない。従って、上述した実施の形態に開示された各要素は、本発明の技術的範囲に属する全ての設計変更や均等物をも含む趣旨である。
【００４８】
例えば、角部材の適用対象物に応じて、角部材１，１Ａ，１Ｂ，１Ｃにおける第１の挟持部２，２Ａ，２Ｂ，２Ｃと第２の挟持部３，３Ａ，３Ｂ，３Ｃとは直角でない角度で連続してもよい。また、上記角部材１Ａの外板部２１Ａおよび第２の挟持部３Ａの外板部３１Ａの高さは、パレット５の壁部５２の高さと脚部５３の高さとを加えた高さまでは達していなくてもよい。
【００４９】
さらに、角部材１，１Ａ，１Ｂ，１Ｃにおける第１の挟持部２，２Ａ，２Ｂ，２Ｃと第２の挟持部３，３Ａ，３Ｂ，３Ｃとは、外板部２１，３１，２１Ａ，３１Ａ，２１Ｂ，３１Ｂ，２１Ｃ，３１Ｃ、内板部２２，３２，２２Ａ，３２Ａ，２２Ｂ，３２Ｂ，２２Ｃ，３２Ｃおよび連結部２３，３３，２３Ａ，３３Ａ，２３Ｂ，３３Ｂ，２３Ｃ，３３Ｃの全てにおいて連続している必要はない。例えば、角部材１において、外板部２１と外板部３１とは連続しているが、内板部２２と内板部３２、連結部２３と連結部３３は不連続（それらの間に間隙がある状態）であってもよい。
【００５０】
また、角部材１，１Ａ，１Ｂ，１Ｃにおける連結部２３，３３，２３Ａ，３３Ａ，２３Ｂ，３３Ｂ，２３Ｃ，３３Ｃは、外板部２１，３１，２１Ａ，３１Ａ，２１Ｂ，３１Ｂ，２１Ｃ，３１Ｃと内板部２２，３２，２２Ａ，３２Ａ，２２Ｂ，３２Ｂ，２２Ｃ，３２Ｃとの間で長手方向断続的に形成されていてもよい。
【産業上の利用可能性】
【００５１】
本発明の角部材は、天板部の各辺からスリーブ保持部としての壁部が立ち上がっているパレットに好ましく用いられる。また、本発明のパレットは、スリーブ取付用のパレットとして好適である。
【図面の簡単な説明】
【００５２】
【図１】本発明の一実施形態に係る角部材の斜視図である。
【図２】本発明の一実施形態に係るパレットの天板部および壁部の平面図である。
【図３】同実施形態に係るパレット（角部材取付前）の斜視図である。
【図４】同実施形態に係るパレット（角部材取付後）の斜視図である。
【図５】本発明の他の実施形態に係る角部材の斜視図である。
【図６】本発明の他の実施形態に係るパレットの斜視図である。
【図７】本発明の別の実施形態に係る角部材の斜視図である。
【図８】本発明の別の実施形態に係るパレットの斜視図である。
【図９】本発明のさらに別の実施形態に係る角部材の斜視図である。
【符号の説明】
【００５３】
１，１Ａ，１Ｂ，１Ｃ…角部材
２，２Ａ，２Ｂ，２Ｃ…第１の挟持部
２１，２１Ａ，２１Ｂ，２１Ｃ…外板部
２２，２２Ａ，２２Ｂ，２２Ｃ…内板部
２３，２３Ａ，２３Ｂ，２３Ｃ…連結部
３，３Ａ，３Ｂ，３Ｃ…第２の挟持部
３１，３１Ａ，３１Ｂ，３１Ｃ…外板部
３２，３２Ａ，３２Ｂ，３２Ｃ…内板部
３３，３３Ａ，３３Ｂ，３３Ｃ…連結部
４Ｂ…補強部
５…パレット
５１…天板部
５２…壁部
５３…脚部
５４…底板部
【図１】
2005187051.tif 000003
【図２】
2005187051.tif 000004
【図３】
2005187051.tif 000005
【図４】
2005187051.tif 000006
【図５】
2005187051.tif 000007
【図６】
2005187051.tif 000008
【図７】
2005187051.tif 000009
【図８】
2005187051.tif 000010
【図９】
2005187051.tif 000011